(57)【要約】【課題】ケーブルコネクタとシュラウドとの接続を確実にすると共に、取り付けおよび取り外しの作業を簡単に行うことのできる、電気通信装置のケーブルコネクタ取付構造を提供する。【解決手段】本発明による電気通信装置のケーブルコネクタ取付構造においては、ケーブルコネクタ側に設けた、コネクタ着脱作業を行うためのコネクタ着脱用金具に、このコネクタを取り付ける装置筐体へ案内するための案内部材を設け、一方筐体側には、コネクタと接続するシュラウドを設けたバックボードに設けた反り防止金具にはガイド孔を設け、ケーブルコネクタ取り付け時には、前記案内部材の先端部を前記反り防止金具のガイド孔に挿入するようにしている。【選択図】　　　　図５
2004134291.tif 000002
【特許請求の範囲】
【請求項１】
基板上に多数の電子部品を実装した回路パッケージを筐体内に複数収容可能な電気通信装置における、当該回路パッケージと電気的接続をなすケーブルを当該装置外部から当該装置に装着するためのケーブルコネクタ取付構造であって、
前記筐体内にバックボードを設け、このバックボードの一方の面には前記回路パッケージに設けたコネクタと接続する回路パッケージ用コネクタを取り付け、反対側の面には前記ケーブル先端に設けたコネクタと接続する、前記回路パッケージ用コネクタと電気的に接続したシュラウドを取り付け、前記ケーブル先端に設けたケーブルコネクタと前記シュラウドとを接続すると共に前記回路パッケージを前記筐体内に挿入し、該回路パッケージのコネクタと前記回路パッケージ用コネクタとを接続することにより、前記回路パッケージと前記ケーブルとが電気的に接続するケーブルコネクタ取付構造において、
前記ケーブルコネクタに該ケーブルコネクタ着脱のためのケーブルコネクタ着脱用金具を設け、
該ケーブルコネクタ着脱用金具は、着脱時に作業者が把持するための把持部材と、該ケーブル装着時に前記ケーブルコネクタを前記筐体へ案内するための案内部材とを具え、
前記バックボードの前記シュラウドの上方および下方の位置に、当該バックボードの幅方向に延在する、該バックボードの反りを防止するための反り防止金具をそれぞれ設け、
前記反り防止金具に、前記ケーブル装着時に前記ケーブルコネクタ着脱用金具の前記案内部材の先端部を挿入可能とし、それによって前記ケーブルコネクタを案内かつ位置決めするためのガイド孔を形成したことを特徴とする電気通信装置のケーブルコネクタ取付構造。
【請求項２】
請求項１記載の取付構造において、
前記ケーブルコネクタ着脱用金具に略山形の板状の弾性部材を取り付け、
前記反り防止金具には、前記弾性部材と嵌合する溝または孔をさらに形成したことを特徴とする電気通信装置のケーブルコネクタ取付構造。
【請求項３】
請求項１または２記載の取付構造において、
前記ケーブルコネクタ着脱用金具にケーブル保持部を形成したことを特徴とする電気通信装置のケーブルコネクタ取付構造。
【発明の詳細な説明】
【０００１】
【発明の属する技術分野】
本発明は、コンピュータ、通信機等の、複数の回路パッケージを収容する電気通信装置に関するものであり、特に、この電気通信装置に装置外部からケーブルを装着するためのケーブルコネクタ取付構造に関するものである。
【０００２】
【従来の技術】
図１〜図３は従来の電気通信装置におけるケーブルコネクタ取付構造の一例を示すものである。図示の電気通信装置は、図示しない筐体内部に収容したユニット１内に複数の回路パッケージ２を着脱自在に装着することにより、電話交換機やネットワークサーバ等としての機能を果たすものである。
【０００３】
図１に示すように、ユニット１の背面側、すなわち回路パッケージ２を挿入、取り出しを行う開口部１ａと対向する面にはバックボード３を取り付けている。このバックボード３の前記ユニット開口部１ａ側の面には、回路パッケージ２のコネクタ２ａ，２ｂと電気的に接続する回路パッケージ用コネクタ（図示せず）が、ユニット１に収容可能な回路パッケージ２の数だけ設けられている。また、このユニット１においては回路パッケージ２をユニット１の幅方向に２列に並べて収容可能な形態を取っている。
【０００４】
一方、バックボード３の裏面３ａには、回路パッケージ２を外部の機器と、あるいは回路パッケージ同士を電気的に接続するために外部から導入するケーブル４の先端に取り付けたケーブルコネクタ５と接続するシュラウド６を設けている。シュラウド６は回路パッケージ用コネクタの取り付け位置のちょうど裏側に取り付けられており、回路パッケージ用コネクタと回路パッケージ２のコネクタ２ａ，２ｂとを接続し、一方シュラウド６にケーブル４のコネクタ５を取り付けることにより、回路パッケージ２とケーブル４との電気的接続がなされる。なお、回路パッケージ用コネクタおよびシュラウド６の内部には多数の電気的接点が配置されており、これらの接点は回路パッケージ用コネクタおよびシュラウド６を貫通または各接点が互いに電気的に接続すると共に、これら接点一つ一つは、それぞれ回路パッケージ２およびケーブルコネクタ５に同様に設けた多数の接点一つ一つと対応している。
【０００５】
また、特に図２に詳細に示すように、バックボード３の上下には、幅方向に反り防止金具７〜９を取り付けてバックボード３の反りを防止しており、さらにコネクタ押さえ金具１０を取り付けてケーブルコネクタ５が脱落することを防いでいる。
【０００６】
図３は図１および図２に示す電気通信装置に取り付けているケーブルコネクタ５の詳細を示すものである。ケーブルコネクタ５には把持用金具１１をねじ１２によって取り付けているが、これは、ケーブル４の電気通信装置からの着脱の際に、作業者がこの把持用金具を把持して作業を行うためのものである。
【０００７】
さて、かかるケーブルコネクタ取付構造においては、ケーブルコネクタ５のシュラウド６への正確な位置決めと、それによる確実な取り付けを実現し、またケーブルコネクタ５のシュラウド６からの抜けを確実に防止すると共に、取り外し作業の容易さをも確保する必要がある。
【０００８】
これらの事項を実現するための方策として、例えばケーブルコネクタおよびシュラウドのいずれか一方に突起を、他方にこの突起と嵌合する爪を形成したものや（例えば特許文献１参照）、ケーブルコネクタ側に突起を、シュラウド側にロック片をそれぞれ形成し、これらを互いに係合するものがある（例えば特許文献２参照）。
【０００９】
【特許文献１】
特開平１１−６７４２０号公報
【特許文献２】
特開２０００−２９９１５３号公報
【００１０】
しかしながら、図１および図２に示すような電気通信装置においては、取り付け済みのケーブルコネクタを取り外す、あるいは新しくケーブルコネクタを取り付ける際には、その度にコネクタ押さえ金具を取り外す必要がある。この場合、取り外し対象のもの以外のケーブルコネクタを誤って取り外してしまったり、作業中に他のケーブルコネクタが外れてしまうおそれがある。また、上述したような方策を用いてケーブルコネクタとシュラウドとの間の固定を確実にした場合でも、図示のように複数のケーブルと接続するような装置の場合、迅速で効率的な作業を行うためには、ケーブルの取り付けおよび取り外しをより簡単に行うことができるようなケーブルコネクタ取付構造が必要である。
【００１１】
さらに、ケーブル自体の重量や、ケーブルに何らかの引っ張り力が加わった場合、ケーブルコネクタやシュラウド内部に設けた接続ピンなどの接点に力が加わり、それによって接触不良等が生じる可能性もあり、その防止策も必要となる。
【００１２】
【発明が解決しようとする課題】
本発明の目的は、上述の問題点を解決し、ケーブルコネクタとシュラウドとの接続を確実にすると共に、取り付けおよび取り外しの作業を簡単に行うことのできる、電気通信装置のケーブルコネクタ取付構造を提供することにある。
【００１３】
【課題を解決するための手段】
すなわち本発明は、基板上に多数の電子部品を実装した回路パッケージを筐体内に複数収容可能な電気通信装置における、当該回路パッケージと電気的接続をなすケーブルを当該装置外部から当該装置に装着するためのケーブルコネクタ取付構造であって、
前記筐体内にバックボードを設け、このバックボードの一方の面には前記回路パッケージに設けたコネクタと接続する回路パッケージ用コネクタを取り付け、反対側の面には前記ケーブル先端に設けたコネクタと接続する、前記回路パッケージ用コネクタと電気的に接続したシュラウドを取り付け、前記ケーブル先端に設けたケーブルコネクタと前記シュラウドとを接続すると共に前記回路パッケージを前記筐体内に挿入し、該回路パッケージのコネクタと前記回路パッケージ用コネクタとを接続することにより、前記回路パッケージと前記ケーブルとが電気的に接続するケーブルコネクタ取付構造において、
前記ケーブルコネクタに該ケーブルコネクタ着脱のためのケーブルコネクタ着脱用金具を設け、
該ケーブルコネクタ着脱用金具は、着脱時に作業者が把持するための把持部材と、該ケーブル装着時に前記ケーブルコネクタを前記筐体へ案内するための案内部材とを具え、
前記バックボードの前記シュラウドの上方および下方の位置に、当該バックボードの幅方向に延在する、該バックボードの反りを防止するための反り防止金具をそれぞれ設け、
前記反り防止金具に、前記ケーブル装着時に前記ケーブルコネクタ着脱用金具の前記案内部材の先端部を挿入可能とし、それによって前記ケーブルコネクタを案内かつ位置決めするためのガイド孔を形成したことを特徴とするものである。
【００１４】
【発明の効果】
本発明による電気通信装置のケーブルコネクタ取付構造においては、ケーブルコネクタ側に設けた、コネクタ着脱作業を行うためのコネクタ着脱用金具に、このコネクタを取り付ける装置筐体へ案内するための案内部材を設け、一方筐体側には、コネクタと接続するシュラウドを設けたバックボードに設けた反り防止金具にはガイド孔を設け、ケーブルコネクタ取り付け時には、前記案内部材の先端部を前記反り防止金具のガイド孔に挿入するようにしている。
【００１５】
それによって、ケーブルコネクタのシュラウドへの位置決めと接続および固定を確実なものとすることができると共に、着脱作業がより簡単に行うことができるようになる。
【００１６】
本発明による電気通信装置のケーブルコネクタ取付構造の好適な実施形態においては、前記ケーブルコネクタ着脱用金具に略山形の板状の弾性部材を取り付け、前記反り防止金具には、前記弾性部材と嵌合する溝または孔をさらに形成したこととしている。それによって、ケーブルコネクタの着脱作業時に、作業者が把持部材を把持して着脱を行うことが容易となり、加えてケーブルコネクタを装置に対して位置決めかつ固定するための機構をさらに設けたことにより、ケーブルコネクタとシュラウドとの間の固定をより確実なものとすることができる。
【００１７】
さらに本発明による電気通信装置のケーブルコネクタ取付構造の好適な実施形態においては、前記ケーブルコネクタ着脱用金具にケーブル保持部を形成することとしている。それによって、ケーブルの自重や、ケーブルに引っ張り力が加わった場合に、コネクタまたはシュラウド内部の接点に力が作用することを防ぐことが可能となる。
【００１８】
【発明の実施の形態】
以下、図面を参照して本発明の好適な実施形態について説明する。
【００１９】
図４は本発明によるケーブルコネクタ取付構造の一実施形態を示すものであり、特にその外観を拡大して示すものである。本実施形態においても、本発明に係るケーブルコネクタ取付構造を適用する電気通信装置は、図示しない筐体内部に収容したユニット内に複数の回路パッケージを着脱自在に装着することにより、電話交換機やネットワークサーバ等としての機能を果たすものである。
【００２０】
図４においても、ユニット２１の背面側にバックボード２２を取り付け、その裏面、すなわち図示しない回路パッケージと対向する面の裏側の面２２ａには、回路パッケージを外部の機器と、あるいは回路パッケージ同士を電気的に接続するために外部から導入するケーブル２３の先端に取り付けたケーブルコネクタ２４と接続するシュラウド２５を設けている。ここでも、シュラウド２５は、バックボード２２の回路パッケージ用コネクタ（図示せず）の取り付け位置のちょうど裏側に取り付けられており、回路パッケージ用コネクタと回路パッケージのコネクタとを接続し、一方シュラウド２５にケーブル２３コネクタ２４を取り付けることにより、回路パッケージ２とケーブル４との電気的接続がなされる。また、回路パッケージ用コネクタおよびシュラウド２５の内部には多数の電気的接点が配置されており、これらの接点は回路パッケージ用コネクタおよびシュラウド２５を貫通または各接点が互いに電気的に接続すると共に、これら接点一つ一つは、それぞれ回路パッケージおよびケーブルコネクタ２４に同様に設けた多数の接点一つ一つと対応している。
【００２１】
また、バックボード２２には幅方向に反り防止金具２６，２７を取り付けてバックボード２２の反りを防止している。なお、バックボード２２に取り付ける反り防止金具の個数は、ユニット２１の大きさ等によって適宜変更し得るものである。例えば、このユニット２１が図１および図２に示すユニット１と同様に回路パッケージを幅方向に２列、あるいはそれ以上の数の列に並べて収容する場合、反り防止金具２６をバックボード２２の上下に、反り防止金具２７をその中間に設けることとなる。
【００２２】
また、ここでは反り防止金具をバックボード２２に取り付ける上下方向の間隔を、ケーブルコネクタ２４の高さよりも上下方向にわずかに拡げて設定すると共に、反り防止金具２６には、その長手方向（すなわちユニット２１の幅方向）に一本の細長の溝２８を、また複数の小孔２９をシュラウド２５の取り付け位置に合わせてそれぞれ形成し、一方、反り防止金具２７にも、その長手方向に一本の細長の溝３０を、また複数の小孔３１をシュラウド２５の取り付け位置に合わせてそれぞれ形成している。なお、これらの機能については後述する。
【００２３】
ケーブルコネクタ２４には着脱用金具３２を取り付けており、この着脱用金具３２は着脱時に作業者が把持するための略Ｃ字形の把持部材３３および、このケーブルコネクタ２４をシュラウド２５と接続する際に案内するための略コ字形の案内部材３４を具える。また把持部材３３は、ケーブル保持部材３５によってケーブル２３を固定することができるようになっているケーブル保持部を形成している。
【００２４】
図５は、ケーブルコネクタ２４および着脱用金具３２の分解組立図を示すものである。着脱用金具３２の把持部材３３をケーブルコネクタ２４に取り付ける際には、略山形の弾性部材（板ばね）３６，３７を両者の間に介在させ、把持部材のねじ孔３３ａ，３３ｂ、弾性部材３６，３７のねじ孔３６ａ，３７ａおよびケーブルコネクタ２４のねじ孔２４ａ，２４ｂにそれぞれねじ３８を挿通することによりこれらを結合する。
【００２５】
一方案内部材３４は垂直部３４ａおよびその上下に形成した水平部３４ｂ，３４ｃからなる略コ字形状を有している。案内部材３４は、垂直部３４ａと水平部３４ｂ，３４ｃとの間にそれぞれ設けたねじ孔３９，４０を有し、これらねじ孔と把持部材３３のねじ孔３３ｃ，３３ｄにねじ４１を挿通することにより、把持部材３３に取り付ける。
【００２６】
案内部材３４の水平部３４ｂ，３４ｃにはそれぞれ小孔４２，４３を形成している。着脱用金具３２の組み立て時、特に案内部材３４を把持部材３３に取り付ける際には、これら小孔４２，４３にそれぞれ板ばね３５の山形の頂部が嵌り込むようにする。
【００２７】
さらに、案内部材３４の水平部３４ｂは、その先端部がバックボード２２に取り付けた反り防止金具２６の小孔２９に、また水平部３４ｃの先端部は反り防止金具２７の小孔３１にそれぞれ嵌り込むようになっている。すなわち小孔２９，３１はケーブルコネクタ２４をシュラウド２５へと案内するガイド孔として機能するものであり、それによってケーブルコネクタ２４のシュラウド２５（図４参照）への正確な位置決めを可能としている。また、後述するように板ばね３６，３７は、それぞれ反り防止金具２６，２７にそれぞれ設けた細長の溝２８，３０にも嵌合可能となっている。それによって、ケーブルコネクタ２４の固定を確実なものとしている。
【００２８】
加えて、把持部材３３に形成した孔３３ｅにケーブル保持部材３５を通してケーブル２３を固定することにより、ケーブルを保持することができるようにしている。
【００２９】
図６〜図８は、本発明によるケーブルコネクタ取付構造におけるケーブルコネクタ取り付け手順を示すものである。以下、これらの図を参照してその手順を説明する。
【００３０】
作業者は、まずケーブルコネクタ２４に取り付けた着脱用金具３２の把持部材３３を把持し、ケーブルコネクタ２４と接続するシュラウド２５とを対面させ、図６の矢印で示す方向、すなわちシュラウド２５と接続する方向へケーブルコネクタ２４をユニット２１へ向けて押し込む。
【００３１】
次いで図７に示すように、案内部材３４の水平部３４ａの先端を反り防止金具２６の小孔２９へ、水平部３４ｂの先端部を反り防止金具２７の小孔３１へそれぞれ挿入する。これら小孔はそれぞれシュラウド２５の真上および真下に位置しているため、これら小孔に案内部材３４の各水平部の先端を挿入することにより、ケーブルコネクタ２４のシュラウド２５への正確な位置決めを行うことができる。これによって位置決めを行った後、矢印の方向へさらにケーブルコネクタ２４をユニット２１へ押し込み、ケーブルコネクタ２４とシュラウド２５との接続を行う。
【００３２】
その後、図８に示すようにケーブルコネクタ２４とシュラウド２５との接続がなされると、着脱用金具３２の板ばね３６が反り防止金具２６の細長の溝２８に、板ばね３７が反り防止金具２７の細長の溝３０にそれぞれ嵌り込む。その結果、ケーブルコネクタ２４がユニット２１に確実に固定されることとなる。逆に、これら板ばねの弾性作用により、ケーブルコネクタ２４の取り外しも容易なものとなる。
【００３３】
以上説明したように、本発明によるケーブルコネクタ取付構造は、ケーブルコネクタのシュラウドへの位置決めと接続および固定を確実なものとしつつ、着脱作業がより簡単に行うことが可能である。
【図面の簡単な説明】
【図１】従来のケーブルコネクタ取付構造の一例を示す斜視図である。
【図２】図１のユニットへの反り防止金具の取り付け状態を示す図である。
【図３】図１および図２の取付構造におけるケーブルコネクタの分解組立図である。
【図４】本発明によるケーブルコネクタ取付構造の一実施形態を示す斜視図である。
【図５】図４の取付構造におけるケーブルコネクタの分解組立図である。
【図６】図４の取付構造におけるケーブルコネクタ取り付け手順を示す図であり、ケーブルコネクタのシュラウドへの位置決め前の状態を示す図である。
【図７】図４の取付構造におけるケーブルコネクタ取り付け手順を示す図であり、ケーブルコネクタのシュラウドへの位置決め後の状態を示す図である。
【図８】図４の取付構造におけるケーブルコネクタ取り付け手順を示す図であり、ケーブルコネクタの固定後の状態を示す図である。
【符号の説明】
１，２１　ユニット
２　回路パッケージ
３，２２　バックボード
４，２３　ケーブル
５，２４　ケーブルコネクタ
６，２５　シュラウド
７，８，９，２６，２７　バックボード反り防止金具
１０　コネクタ押さえ金具
１１　ケーブルコネクタ把持用金具
１２，３８，４１　ねじ
２８　反り防止金具２６の細長の溝
２９　反り防止金具２６の小孔
３０　反り防止金具２７の細長の溝
３１　反り防止金具２７の小孔
３２　ケーブルコネクタ着脱用金具
３３　ケーブルコネクタ着脱用金具３２の把持部材
３４　ケーブルコネクタ着脱用金具３２の案内部材
３５　ケーブルコネクタ保持部材
３６，３７　板ばね（弾性部材）
３９，４０　案内部材３４のねじ孔
４２，４３　案内部材３４の小孔
【図１】
2004134291.tif 000003
【図２】
2004134291.tif 000004
【図３】
2004134291.tif 000005
【図４】
2004134291.tif 000006
【図５】
2004134291.tif 000007
【図６】
2004134291.tif 000008
【図７】
2004134291.tif 000009
【図８】
2004134291.tif 000010